(57)【要約】【課題】木螺子の本数を増やさずに、二本の手摺棒を強固に連結させることができる手摺棒の連結構造を提供する。【解決手段】ブラケット２の受部２０を、両手摺棒１ａ，１ｂの連結部分を跨いで両手摺棒１ａ，１ｂの端部外周面に結合させて、両手摺棒１ａ，１ｂの端部を木螺子４，４によって前記受部２０に夫々螺着することにより、両手摺棒１ａ，１ｂを分離不能に連結するとともに、両手摺棒１ａ，１ｂの端面１０ａ，１０ｂにダボ穴１３，１３を対向状に形成して、該ダボ穴１３，１３に跨るようにダボ３を挿入し、両手摺棒１ａ，１ｂを受部２０に螺着する前記木螺子４，４を、前記ダボ３と夫々螺合させる。【選択図】図１
0003171935.tif 000002
【実用新案登録請求の範囲】
【請求項１】
二本の木製手摺棒の端部同士を連結する手摺棒の連結構造であって、
両手摺棒の連結部分を跨いで両手摺棒の端部外周面に結合される受部が設けられた、手摺棒を壁面に固定するためのブラケットを備え、
両手摺棒は、木螺子によって前記受部に螺着されることにより、相互に分離不能に連結されており、
両手摺棒の端面にダボ穴が対向状に形成され、該ダボ穴に跨るようにダボが挿入されており、
両手摺棒を受部に螺着する前記木螺子は、前記ダボと夫々螺合していることを特徴とする手摺棒の連結構造。
【請求項２】
連結する手摺棒の端部のうち、一方の端部外周縁に周方向に沿って内側に凹む段部が形成されており、両手摺棒の継ぎ目に、前記段部を底部とする周方向の目地溝が露出していることを特徴とする請求項１に記載の手摺棒の連結構造。
【請求項３】
連結する手摺棒の端部のうち、他方の端部外周縁の、前記段部と対向する位置に、先端側に突出する周方向に沿った突出部が形成されており、該突出部により、両手摺棒の端面同士の接合部が覆われていることを特徴とする請求項２に記載の手摺棒の連結構造。
【請求項４】
両手摺棒の端面の間に、フランジ付きの中挟板が介装され、該中挟板には、前記ダボが貫通する貫通孔が形成されていることを特徴とする請求項１に記載の手摺棒の連結構造。
【考案の詳細な説明】
【技術分野】
【０００１】
本考案は、二本の木製手摺棒の端部同士を連結する手摺棒の連結構造に関する。
【背景技術】
【０００２】
木製手摺棒を連結する構造としては、二本の手摺棒の端面間に挟まれる中挟板の周囲に、手摺棒の外周に被さるフランジを設け、ブラケットの受部上で手摺棒同士を連結する構造が知られている（例えば、特許文献１）。
【先行技術文献】
【特許文献】
【０００３】
【特許文献１】特許第４２４３８０４号公報
【考案の概要】
【考案が解決しようとする課題】
【０００４】
上記特許文献１に記載の連結構造では、手摺棒同士の連結強度を高めるには、各手摺棒の端部を受部に螺着する木螺子の数を増やせばよいが、木螺子の数を増やすと、受部を大きくしなければならず、受部の設計自由度が制限される。また、木螺子の本数が多くなると、螺子止め作業の手間も大きくなる。
【０００５】
本考案は、かかる現状に鑑みてなされたものであり、木螺子の本数を増やさずに手摺棒を強固に連結できる手摺棒の連結構造の提供を目的とする。
【課題を解決するための手段】
【０００６】
本考案は、二本の木製手摺棒の端部同士を連結する手摺棒の連結構造であって、両手摺棒の連結部分を跨いで両手摺棒の端部外周面に結合される受部が設けられた、手摺棒を壁面に固定するためのブラケットを備え、両手摺棒は、木螺子によって前記受部に螺着されることにより、相互に分離不能に連結されており、両手摺棒の端面にダボ穴が対向状に形成され、該ダボ穴に跨るようにダボが挿入されており、両手摺棒を受部に螺着する前記木螺子は、前記ダボと夫々螺合していることを特徴とする手摺棒の連結構造である。
【０００７】
かかる構成にあっては、二本の手摺棒がダボと受部とを介して夫々連結されるだけでなく、手摺棒を受部に螺着する木螺子がダボと螺合することで、両手摺棒と受部とダボとが木螺子によって一体的に螺着されることとなり、これにより、両手摺棒を強固に連結することが可能となる。したがって、かかる構成によれば、木螺子の本数を増やすことなく、従来構成に比して二本の手摺棒を強固に連結可能となる。
【０００８】
本考案にあって、連結する手摺棒の端部のうち、一方の端部外周縁に周方向に沿って内側に凹む段部が形成されており、両手摺棒の継ぎ目に、前記段部を底部とする周方向の目地溝が露出している構成が提案される。かかる構成にあっては、両手摺棒の継ぎ目が露出していても、継ぎ目に形成された目地溝によって、両手摺棒の木目の相違が目立たなくなる。従来の手摺棒の連結構造では、手摺棒の継ぎ目における木目の不一致を隠すために、手摺棒間にフランジ付きの中挾板を介装して継ぎ目を覆うようにしているが、本構成によれば、手摺棒の継ぎ目を覆わなくても、手摺棒を違和感なく連結させることができるから、従来構成に比して部品点数の削減が可能となる。
【０００９】
また、上記目地溝を備える構成にあっては、連結する手摺棒の端部のうち、他方の端部外周縁の、前記段部と対向する位置に、先端側に突出する周方向に沿った突出部が形成されており、該突出部により、両手摺棒の端面同士の接合部が覆われている構成が提案される。かかる構成にあっては、端面同士の接合部が突出部によって覆われるため、両手摺棒を連結する際に、端面間に多少の隙間が生じていても、当該隙間が外部に露出せず、意匠性を損なうことがない。このため、かかる構成によれば、手摺棒の寸法精度を比較的緩めにすることができ、また、施工上の許容誤差も比較的大きくできる。
【００１０】
また、本考案にあっては、両手摺棒の端面の間に、フランジ付きの中挟板が介装され、該中挟板には、前記ダボが貫通する貫通孔が形成されている構成が提案される。かかる構成によれば、中挾板を介して手摺棒を連結する構造にも、本考案を容易に適用できる。
【考案の効果】
【００１１】
以上のように、本考案によれば、木螺子の本数を増やさずに手摺棒を強固に連結させることができるから、受部のサイズが制限されず、ブラケットの設計自由度を高めることができる。
【図面の簡単な説明】
【００１２】
【図１】（ａ）は、実施例の手摺棒の連結構造の斜視図であり、（ｂ）は、同連結構造の分解斜視図である。
【図２】手摺棒の連結構造の正面図である。
【図３】図２中のＡ−Ａ線断面図である。
【図４】図３中のＢ−Ｂ線断面図である。
【図５】実施例の手摺棒の連結構造を採用した手摺の使用状態説明図である。
【図６】（ａ）は、変形例の手摺棒の連結構造の斜視図であり、（ｂ）は、同連結構造の分解斜視図である。
【図７】（ａ）は、変形例の手摺棒の連結構造の斜視図であり、（ｂ）は、同連結構造の分解斜視図である。
【考案を実施するための形態】
【００１３】
本考案の実施形態を、以下の実施例に従って説明する。
【００１４】
図１は、本実施例の手摺棒の連結構造を示す斜視図である。かかる連結構造では、二本の手摺棒１ａ，１ｂを、ダボ３を介して連結するとともに、該連結部分の外周面にブラケット２の受部２０を宛てがい、両手摺棒１ａ，１ｂの端部を木螺子４によって受部２０に螺着するとともに、各木螺子４を手摺棒１ａ，１ｂの端部に挿入されたダボ３と螺合させてなるものである。
【００１５】
二本の手摺棒１ａ，１ｂは、図１に示すように、直線状の木製棒材である。両手摺棒１ａ，１ｂの断面は、同径の円形状をなしており、その端部は横断状に切断されている。両手摺棒１ａ，１ｂの端面１０ａ，１０ｂには、円形のダボ穴１３，１３が中心に形成されており、連結状態にあって、このダボ穴１３，１３を跨ぐように硬質木材からなるダボ３が挿入される。また、一方の手摺棒１ａの端部外周縁には、図１（ｂ）に示すように、内側に凹む段部１１が全周に亘って形成される。そして、他方の手摺棒１ｂの端部外周縁には、段部１１と対向する位置に、先端方向に突出する突出部１２が全周に亘って形成され、連結状態にあって、突出部１２が段部１１の凹みと嵌合するよう構成される。
【００１６】
ブラケット２は、壁面に固定される取付部２１と、手摺棒１ａ，１ｂに下方から当接して手摺棒１ａ，１ｂを保持する受部２０と、取付部２１と受部２０を連繋する腕部２２とを備えてなる金具である。取付部２１は、木螺子によって壁面に螺着されるものであり、木螺子を挿通する螺子孔（図示省略）は、キャップ２３によって覆われている。腕部２２は取付部２１から斜め上方にＬ字状に延出しており、受部２０は、腕部２２の上端に一体的に設けられている。受部２０は、手摺棒１ａ，１ｂの連結方向に長尺な板状をなし、その上面は手摺棒１ａ，１ｂの外周面に被着し得るように湾曲している。また、受部２０には、木螺子４を挿通する一対の螺子孔２４，２４が形成される。
【００１７】
二本の手摺棒１ａ，１ｂを連結する際は、まず、両手摺棒１ａ，１ｂのダボ穴１３にダボ３を挿入し、両手摺棒１ａ，１ｂが一直線状となるようにして端面１０ａ，１０ｂ同士を当接させる。次に、ブラケット２の受部２０を、連結部分を跨ぐようにして、両手摺棒１ａ，１ｂの端部外周面に下方から宛てがう。そして、かかる状態で、受部２０の螺子孔２４，２４介して手摺棒１ａ，１ｂに木螺子４，４をねじ込み、両手摺棒１ａ，１ｂを受部２０に螺着する。この時、木螺子４の先端は、両手摺棒１ａ，１ｂの中心まで到達させる。
【００１８】
かかる連結構造では、図２〜４に示すように、手摺棒１ａ，１ｂが、受部２０を介して連結されるとともに、ダボ３を介しても相互に連結される。ここで、本実施例では、手摺棒１ａ，１ｂを受部２０に螺着する各木螺子４が、手摺棒１ａ，１ｂの中心まで達してダボ３と螺合しており、これにより、手摺棒１ａ，１ｂと、ダボ３と、ブラケット２の受部２０とが、二本の木螺子４によって分離不能に螺着される。このため、本実施例では、手摺棒１ａ，１ｂに木螺子４，４を一本ずつ螺着するだけでも、二本の手摺棒１ａ，１ｂを強固に連結することができる。
【００１９】
また、かかる連結構造では、図２〜４に示すように、二本の手摺棒１ａ，１ｂの継ぎ目に、一方の手摺棒１ａの段部１１を底部とする環状の目地溝５が周方向に沿って形成される。このように、二本の手摺棒１ａ，１ｂの継ぎ目に目地溝５を設けて、両手摺棒１ａ，１ｂの外周面の間に間隔を設けておけば、両手摺棒１ａ，１ｂの木目の違いが継ぎ目部分で目立たなくなる。このため、本実施例では、従来構成のように中挟板を介装して手摺棒の継ぎ目を覆わなくても意匠性を確保することができ、少ない部品点数で意匠性に富んだ連結構造を実現できる。
【００２０】
また、かかる連結構造では、図４に示すように、他方の手摺棒１ｂの端部外周縁から突出する突出部１２が、両手摺棒１ａ，１ｂの端面１０ａ，１０ｂの接合部を外側から覆っている。このため、連結状態にあって、手摺棒１ａ，１ｂの端面同士が密着せずに隙間が生じていても、該隙間が外側に露出して美観を損ねることがない。したがって、かかる連結構造では、突出部１２を設けない構成に比べて、手摺棒１ａ，１ｂの寸法精度を甘くすることができ、また、施工上の許容誤差も大きくなる。すなわち、かかる連結構造によれば、手摺の加工作業や施工作業を簡易なものにできる。
【００２１】
図５は、上記手摺棒の連結構造を適用した手摺Ｒの使用状態説明図である。手摺Ｒは、図５に示すように、手摺Ｒの直線部分を構成する直線状の手摺棒１ａ，１ｂと、入隅部分を構成する屈曲状の手摺棒１ｃと、両端部分を構成する屈曲状の手摺棒１ｄとを、ブラケット２部分で連結して壁面Ｗに固定した構成となっている。かかる手摺Ｒにあって、上記実施例の連結構造は、直線状の手摺棒１ａ，１ｂの連結部分に限らず、全ての手摺棒１ａ〜１ｄの連結部分全般に適用することができる。
【００２２】
図６は、上記実施例の構成を一部変更した変形例の連結構造を示す斜視図である。具体的には、かかる構成では、二本の手摺棒１ｅ，１ｅの端面１０ｃ，１０ｃ間には、円板状の中挾板３０が介装される。中挾板３０の中央には貫通孔３２が形成されており、ダボ３を該貫通孔３２に挿通させることにより、ダボ３を手摺棒両端面１０ｃのダボ穴１３に挿入するよう構成されている。両手摺棒１ｅ，１ｅの端面１０ｃには、上記実施例のような段部や突出部は形成されず、手摺棒１ｅの継ぎ目には上記実施例のような目地溝が形成されないが、両手摺棒１ｅ，１ｅの継ぎ目は、中挾板３０の外周部に設けられたフランジ３１によって継ぎ目が目立たないように覆われる。また、ブラケット２の受部２０ａには、中挾板３０のフランジ３１との干渉を避けるために溝状の逃げ部２５が形成される。このように、本考案は、手摺棒１ｅの端面１０ｃの間に中挾板３０を介在させる構成にも適用できる。
【００２３】
図７は、上記実施例の構成を一部変更した別の変形例の連結構造を示す斜視図である。具体的には、かかる構成では、ブラケット２の受部２０ｂが、皿状でなく円筒形状をなしている。そして、二本の手摺棒１ｅ，１ｅは、その端部を、受部２０ｂの中に挿入した状態で連結される。両手摺棒１ｅ，１ｅの継ぎ目には、上記実施例のような目地溝は形成されていないが、両手摺棒１ｅ，１ｅの継ぎ目は受部２０ｂによって覆われるため、手摺棒１ｅの継ぎ目が目立つことはない。このように、ブラケットの受部の形状は、実施例から適宜変更することが可能である。
【００２４】
なお、本考案の手摺棒の連結構造は、上記実施例の形態に限らず本考案の要旨を逸脱しない範囲内において種々変更を加えることができる。例えば、本考案の手摺棒の連結構造は、図５に例示した手摺Ｒに限られず、屋内外の通路や階段の壁面に取り付けられる手摺全般に好適に採用できる。また、上記実施例は、断面円形の手摺棒１ａ，１ｂの連結構造であるが、本考案は、断面円形の手摺棒に限らず、断面楕円形や断面多角形状の手摺棒の連結構造にも適用可能である。また、上記実施例では、一本のダボ３を両手摺棒１ａ，１ｂの中心に挿入しているが、ダボ３は、手摺棒の中心以外にも挿入可能であり、また、手摺棒の端面に複数本のダボを挿入することも可能である。
【符号の説明】
【００２５】
１ａ，１ｂ，１ｃ，１ｄ，１ｅ  手摺棒
２  ブラケット
３  ダボ
４  木螺子
５  目地溝
１０ａ，１０ｂ，１０ｃ  端面
１１  段部
１２  突出部
１３  ダボ穴
２０，２０ａ  受部
２１  取付部
２２  腕部
２３  キャップ
２４  螺子孔
３０  中挾板
３１  フランジ
３２  貫通孔
Ｒ  手摺
【図１】
0003171935.tif 000003
【図２】
0003171935.tif 000004
【図３】
0003171935.tif 000005
【図４】
0003171935.tif 000006
【図５】
0003171935.tif 000007
【図６】
0003171935.tif 000008
【図７】
0003171935.tif 000009